【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  コアポリペプチドに連結されたエンハンサーペプチド配列を含むハイブリッドポリペプチドであって、前記エンハンサーペプチド配列が、WXXWXXXI、WXXWXXX、WXXWXX、WXXWX、WXXW、WXXXWXWX、XXXWXWX、XXWXWX、XWXWX、WXWX、WXXXWXW、WXXXWX、WXXXW、IXXXWXXW、XXXWXXW、XXWXXW、XWXXW、XWXWXXXW、XWXWXXX、XWXWXX、XWXW、WXWXXXWまたはXWXXXWを含む長さ4〜30のアミノ酸残基である、ハイブリッドポリペプチド（但し、LWNWF、SLWNWF、ASLWNWF、WASLWNWF、KWASLWNWF、DKWASLWNWF、LDKWASLWNWF、ELDKWASLWNWF、LELDKWASLWNWF、LLELDKWASLWNWF、ELLELDKWASLWNWF、QELLELDKWASLWNWF、EQELLELDKWASLWNWF、NEQELLELDKWASLWNWF、KNEQELLELDKWASLWNWF、EKNEQELLELDKWASLWNWF、QEKNEQELLELDKWASLWNWF、QQEKNEQELLELDKWASLWNWF、NQQEKNEQELLELDKWASLWNWF、QNQQEKNEQELLELDKWASLWNWF、SQNQQEKNEQELLELDKWASLWNWF、ESQNQQEKNEQELLELDKWASLWNWF、EESQNQQEKNEQELLELDKWASLWNWF、IEESQNQQEKEQELLELDKWASLWNWF、LIEESQNQQEKNEQELLELDKWASLWNWF、SLIEESQNQQEKNEQELLELDKWASLWNWF、HSLIEESQNQQEKNEQELLELDKWASLWNWF、IHSLIEESQNQQEKNEQELLELDKWASLWNF、LIHSLIEESQNQQEKNEQELLELDKWASLWNWF、SLISHLIEESQNQQEKNEQELLELDKWASLWNWF、TSLIHSLIEESQNQQEKNEQELLELDKWASLWNWF、YTSLIHSLIEESQNQQEKNEQELLELDKWASLW、YTSLIHSLIEESQNQQEKNEQELLELDKWASLWN、YTSLIHSLIEESQNQQEKNEQELLELDKWASLWNW、YTSLIHSLIEESQNQQEKNEQELLELDKWASLWNWF、YTSLIHSLIEESQNQQEKNEQELLELDKWASPWNWF、YTSLIHSLIEESQNQQEKNEQELLELDKPASLWNWF、YTNTIYTLLEESQNQQEKNEQELLELDKWASLWNWF、YTGIIYNLLEESQNQQEKNEQELLELDKWANLWNWF、YTGIIYNLLEESQNQQEKNEQELLELDKWASLWNWF、YTSLIYSLLEKSQIQQEKNEQELLELDKWASLWNWF、YTSLIYSLLEKSQTQQEKNEQELLELDKWASLWNWF及びSSESFTLLEQWNNWKLQLAEQWLEQINEKHYLEDISを除く）。
【請求項２】  エンハンサーペプチド配列が、WXXWXXXI、WXXXWXWX、IXXXWXXWまたはXWXWXXXを含む、請求項１記載のハイブリッドポリペプチド。
【請求項３】  エンハンサーペプチド配列がWQEWEQKIまたはWASLWEWFを含む、請求項１または２に記載のハイブリッドポリペプチド。
【請求項４】  エンハンサーペプチド配列がコアポリペプチドのアミノ末端に連結されている、請求項１〜３のいずれか１項に記載のハイブリッドポリペプチド。
【請求項５】  前記コアポリペプチドのカルボキシ末端に連結されたエンハンサーペプチド配列をさらに含む、請求項４記載のハイブリッドポリペプチド。
【請求項６】  エンハンサーペプチド配列がコアポリペプチドのカルボキシ末端に連結されている、請求項１〜４のいずれか１項に記載のハイブリッドポリペプチド。
【請求項７】  コアポリペプチドが治療薬である、請求項１〜６のいずれか１項に記載のハイブリッドポリペプチド。
【請求項８】  コアポリペプチドが生物活性ペプチド、増殖因子、サイトカイン、分化因子、インターロイキン、インターフェロン、コロニー刺激因子、ホルモンまたは血管新生因子のアミノ酸配列である、請求項１〜７のいずれか１項に記載のハイブリッドポリペプチド。
【請求項９】  コアポリペプチドが次のアミノ酸配列：
YTSLIHSLIEESQNQQEKNEQELLELDK、LEENITALLEEAQIQQEKNMYELQKLNS、DFLEENITALLEEAQIQQEKNMYELQKL、RYLEANISQSLEQAQIQQEKNMYELQKL、RYLEANITALLEQAQIQQEKNEYELQKL、TALLEQAQIQQEKNEYELQKLDK、TALLEQAQIQQEKNEYELQKLDE、TALLEQAQIQQEKNEYELQKLIE、TALLEQAQIQQEKIEYELQKLDK、TALLEQAQIQQEKIEYELQKLDE、TALLEQAQIQQEKIEYELQKLIE、TALLEQAQIQQEKIEYELQKLE、TALLEQAQIQQEKIEYELQKLAK、TALLEQAQIQQEKIEYELQKLAE、TALLEQAQIQQEKAEYELQKLE、TALLEQAQIQQEKNEYELQKLE、TALLEQAQIQQEKGEYELQKLE、TALLEQAQIQQEKAEYELQKLAK、TALLEQAQIQQEKNEYELQKLAK、TALLEQAQIQQEKGEYELQKLAK、TALLEQAQIQQEKAEYELQKLAE、TALLEQAQIQQEKNEYELQKLAE、TALLEQAQIQQEKGEYELQKLAE、DEYDASISQVNEKINQALAYIREADEL、DEYDASISQVNEEINQALAYIRKADEL、DEFDESISQVNEKIEESLAFIRKSDELLまたはDEFDESISQVNEKIEESLAFIRKSDEL、
を含む、請求項１〜８のいずれか１項に記載のハイブリッドポリペプチド。
【請求項１０】  コアポリペプチドがアミノ酸配列TALLEQAQIQQEKNEYELQKLDKを含む、請求項９記載のハイブリッドポリペプチド。
【請求項１１】  エンハンサーペプチド配列がコアポリペプチドのアミノ末端に連結されている、請求項９記載のハイブリッドポリペプチド。
【請求項１２】  前記コアポリペプチドのカルボキシ末端に連結されたエンハンサーペプチド配列をさらに含む、請求項１１記載のハイブリッドポリペプチド。
【請求項１３】  エンハンサーペプチド配列がコアポリペプチドのカルボキシ末端に連結されている、請求項９記載のハイブリッドポリペプチド。
【請求項１４】  エンハンサーペプチド配列がWQEWEQKIまたはWASLWEWFを含む、請求項９記載のハイブリッドポリペプチド。
【請求項１５】  ハイブリッドポリペプチドがアミノ酸配列：
WQEWEQKITALLEQAQIQQEKNEYELQKLDKWASLWEWFまたはWQEWEQKITALLEQAQIQQEKIEYELQKLIEWEWFを含む、請求項９記載のハイブリッドポリペプチド。
【請求項１６】  抗レトロウイルス活性を示す生物活性ペプチドを含むポリペプチドであって、該ポリペプチドがハイブリッドポリペプチドに適切なコア成分であり、更に、次のアミノ酸配列：
LEENITALLEEAQIQQEKNMYELQKLNS、DFLEENITALLEEAQIQQEKNMYELQKL、RYLEANISQSLEQAQIQQEKNMYELQKL、RYLEANITALLEQAQIQQEKNEYELQKL、TALLEQAQIQQEKNEYELQKLDK、TALLEQAQIQQEKNEYELQKLDE、TALLEQAQIQQEKNEYELQKLIE、TALLEQAQIQQEKIEYELQKLDK、TALLEQAQIQQEKIEYELQKLDE、TALLEQAQIQQEKIEYELQKLIE、TALLEQAQIQQEKIEYELQKLE、TALLEQAQIQQEKIEYELQKLAK、TALLEQAQIQQEKIEYELQKLAE、TALLEQAQIQQEKAEYELQKLE、TALLEQAQIQQEKNEYELQKLE、TALLEQAQIQQEKGEYELQKLE、TALLEQAQIQQEKAEYELQKLAK、TALLEQAQIQQEKNEYELQKLAK、TALLEQAQIQQEKGEYELQKLAK、TALLEQAQIQQEKAEYELQKLAE、TALLEQAQIQQEKNEYELQKLAE、TALLEQAQIQQEKGEYELQKLAE、DEYDASISQVNEKINQALAYIREADEL、DEYDASISQVNEEINQALAYIRKADEL、DEFDESISQVNEKIEESLAFIRKSDELLまたはDEFDESISQVNEKIEESLAFIRKSDEL、
を含むポリペプチド。
【請求項１７】  エンハンサーペプチド配列をコアポリペプチドに連結させることによりハイブリッドポリペプチドを形成させ、その結果として、該ハイブリッドポリペプチドが、該コアポリペプチドにより示される薬物速度論的性質と比べて増強された該性質を示すことからなる、コアポリペプチドの薬物速度論的性質を増強する方法であって、前記エンハンサーペプチド配列が、WXXWXXXI、WXXWXXX、WXXWXX、WXXWX、WXXW、WXXXWXWX、XXXWXWX、XXWXWX、XWXWX、WXWX、WXXXWXW、WXXXWX、WXXXW、IXXXWXXW、XXXWXXW、XXWXXW、XWXXW、XWXWXXXW、XWXWXXX、XWXWXX、XWXW、WXWXXXWまたはXWXXXWを含む長さ4〜30アミノ酸残基である、前記方法（但し、前記ハイブリッドポリペプチド配列は、LWNWF、SLWNWF、ASLWNWF、WASLWNWF、KWASLWNWF、DKWASLWNWF、LDKWASLWNWF、ELDKWASLWNWF、LELDKWASLWNWF、LLELDKWASLWNWF、ELLELDKWASLWNWF、QELLELDKWASLWNWF、EQELLELDKWASLWNWF、NEQELLELDKWASLWNWF、KNEQELLELDKWASLWNWF、EKNEQELLELDKWASLWNWF、QEKNEQELLELDKWASLWNWF、QQEKNEQELLELDKWASLWNWF、NQQEKNEQELLELDKWASLWNWF、QNQQEKNEQELLELDKWASLWNWF、SQNQQEKNEQELLELDKWASLWNWF、ESQNQQEKNEQELLELDKWASLWNWF、EESQNQQEKNEQELLELDKWASLWNWF、IEESQNQQEKEQELLELDKWASLWNWF、LIEESQNQQEKNEQELLELDKWASLWNWF、SLIEESQNQQEKNEQELLELDKWASLWNWF、HSLIEESQNQQEKNEQELLELDKWASLWNWF、IHSLIEESQNQQEKNEQELLELDKWASLWNF、LIHSLIEESQNQQEKNEQELLELDKWASLWNWF、SLISHLIEESQNQQEKNEQELLELDKWASLWNWF、TSLIHSLIEESQNQQEKNEQELLELDKWASLWNWF、YTSLIHSLIEESQNQQEKNEQELLELDKWASLW、YTSLIHSLIEESQNQQEKNEQELLELDKWASLWN、YTSLIHSLIEESQNQQEKNEQELLELDKWASLWNW、YTSLIHSLIEESQNQQEKNEQELLELDKWASLWNWF、YTSLIHSLIEESQNQQEKNEQELLELDKWASPWNWF、YTSLIHSLIEESQNQQEKNEQELLELDKPASLWNWF、YTNTIYTLLEESQNQQEKNEQELLELDKWASLWNWF、YTGIIYNLLEESQNQQEKNEQELLELDKWANLWNWF、YTGIIYNLLEESQNQQEKNEQELLELDKWASLWNWF、YTSLIYSLLEKSQIQQEKNEQELLELDKWASLWNWF、YTSLIYSLLEKSQTQQEKNEQELLELDKWASLWNWFまたはSSESFTLLEQWNNWKLQLAEQWLEQINEKHYLEDISではない）。
【請求項１８】  コアポリペプチドが治療薬である、請求項１７記載の方法。
【請求項１９】  コアポリペプチドが生物活性ペプチド、増殖因子、サイトカイン、分化因子、インターロイキン、インターフェロン、コロニー刺激因子、ホルモンまたは血管新生因子である、請求項１７記載の方法。
【請求項２０】  ハイブリッドポリペプチドのコアペプチド配列が、次のアミノ酸配列：
YTSLIHSLIEESQNQQEKNEQELLELDK、LEENITALLEEAQIQQEKNMYELQKLNS、DFLEENITALLEEAQIQQEKNMYELQKL、RYLEANISQSLEQAQIQQEKNMYELQKL、RYLEANITALLEQAQIQQEKNEYELQKL、TALLEQAQIQQEKNEYELQKLDK、TALLEQAQIQQEKNEYELQKLDE、TALLEQAQIQQEKNEYELQKLIE、TALLEQAQIQQEKIEYELQKLDK、TALLEQAQIQQEKIEYELQKLDE、TALLEQAQIQQEKIEYELQKLIE、TALLEQAQIQQEKIEYELQKLE、TALLEQAQIQQEKIEYELQKLAK、TALLEQAQIQQEKIEYELQKLAE、TALLEQAQIQQEKAEYELQKLE、TALLEQAQIQQEKNEYELQKLE、TALLEQAQIQQEKGEYELQKLE、TALLEQAQIQQEKAEYELQKLAK、TALLEQAQIQQEKNEYELQKLAK、TALLEQAQIQQEKGEYELQKLAK、TALLEQAQIQQEKAEYELQKLAE、TALLEQAQIQQEKNEYELQKLAE、TALLEQAQIQQEKGEYELQKLAE、DEYDASISQVNEKINQALAYIREADEL、DEYDASISQVNEEINQALAYIRKADEL、DEFDESISQVNEKIEESLAFIRKSDELLまたはDEFDESISQVNEKIEESLAFIRKSDEL、
を含む、請求項１７記載の方法。
【請求項２１】  コアポリペプチド配列が、TALLEQAQIQQEKNEYELQKLDK (配列番号1286)を含む、請求項２０に記載の方法。
【請求項２２】  薬剤として使用するために、活性成分としてポリペプチド：TALLEQAQIQQEKNEYELQKLDK (配列番号1286)またはWQEWEQKITALLEQAQIQQEKNEYELQKLDKWASLWEWF (配列番号1310)と、製剤学上許容される担体を含む、医薬組成物。
【請求項２３】  ポリペプチドが、WQEWEQKITALLEQAQIQQEKNEYELQKLDKWASLWEWF (配列番号1310)である、請求項２２記載の医薬組成物。
【請求項２４】  薬剤として使用するために、活性成分として請求項１に記載のハイブリッドポリペプチドと、製剤学上許容される担体を含む、医薬組成物。
【請求項２５】  薬剤として使用するために、活性成分として請求項９に記載のハイブリッドポリペプチドと、製剤学上許容される担体を含む、医薬組成物。
【請求項２６】  薬剤として使用するために、活性成分として請求項１０に記載のハイブリッドポリペプチドと、製剤学上許容される担体を含む、医薬組成物。
【請求項２７】  薬剤として使用するために、活性成分として請求項１５に記載のハイブリッドポリペプチドと、製剤学上許容される担体を含む、医薬組成物。
【請求項２８】  薬剤として使用するために、活性成分として請求項１に記載のハイブリッドポリペプチドと少なくとも１種類の他の治療剤の有効量、及び製剤学上許容される担体を含む、医薬組成物。
【請求項２９】  薬剤として使用するために、活性成分として請求項９に記載のハイブリッドポリペプチドと少なくとも１種類の他の治療剤の有効量、及び製剤学上許容される担体を含む、医薬組成物。
【請求項３０】  薬剤として使用するために、活性成分として請求項１０に記載のハイブリッドポリペプチドと少なくとも１種類の他の治療剤の有効量、及び製剤学上許容される担体を含む、医薬組成物。
【請求項３１】  薬剤として使用するために、活性成分として請求項１５に記載のハイブリッドポリペプチドと少なくとも１種類の他の治療剤の有効量、及び製剤学上許容される担体を含む、医薬組成物。